(57)【要約】【課題】  使用者が所望の情報信号の編集を簡単に行うことができ、また、映像データの画質が劣化することなく、簡単に音声ずれのないファイルを合成することができる情報信号編集装置、情報信号編集方法、および情報信号編集プログラムを提供する。【解決手段】  映像データと音声データよりなるストリームデータから上記音声データ、及び上記映像データを分離し、該分離された音声データ及び映像データから時間情報を取得し、上記分離された音声データをデコードして、上記時間情報に基づいて時間合わせを行い、該時間合わせを行った音声データをエンコードし、上記分離された映像データと上記エンコードされた音声データとを合成するようにした。【選択図】  図１１
2006236567.tif 000002
【特許請求の範囲】
【請求項１】
相独立するとともに関連性を有する容量の大きさが異なる複数信号よりなる第１の情報ファイルと、該第１の情報ファイルを管理する第１の管理情報ファイルとを含む情報信号を編集する情報信号編集装置において、
上記第１の情報ファイル、または上記第１の管理情報ファイルのいずれかを記憶部に記録する記録手段と、
所定の指示にしたがって上記情報信号中に含まれる上記第１の情報ファイル、または上記記録手段により上記記憶部に記録された第１の情報ファイル、のいずれかを管理する第２の管理情報ファイルを上記記憶部に格納する管理情報ファイル格納手段と、
上記記憶部に記録する情報ファイルは、音声データと映像データとよりなるストリームデータであり、上記ストリームデータから上記音声データ、及び上記映像データを分離する分離手段と、
上記分離手段の出力データから時間情報を取得する時間情報取得手段と、
上記分離手段により分離された音声データをデコードする音声デコード手段と、
上記音声デコード手段の出力データに対して、一部データを加える、または削除することにより時間合わせを行う時間合わせ手段と、
上記時間合わせ手段の出力データを所定の形式で圧縮する音声エンコード手段と、
上記分離手段により分離された映像データと上記音声エンコード手段の出力とを合成する合成手段とを備えた、
ことを特徴とする情報信号編集装置。
【請求項２】
映像データと音声データよりなるストリームデータの編集を行う情報信号編集装置において、
上記ストリームデータから上記音声データ、及び上記映像データを分離する分離手段と、
上記分離手段の出力データから時間情報を取得する時間情報取得手段と、
上記分離手段により分離された音声データをデコードする音声デコード手段と、
上記音声デコード手段の出力データに対して、一部データを加える、または削除することにより時間合わせを行う時間合わせ手段と、
上記時間合わせ手段の出力データを所定の形式で圧縮する音声エンコード手段と、
上記分離手段により分離された映像データと上記音声エンコード手段の出力とを合成する合成手段と、を含む、
ことを特徴とする情報信号編集装置。
【請求項３】
相独立するとともに関連性を有する容量の大きさが異なる複数信号よりなる第１の情報ファイル、該第１の情報ファイルを管理する第１の管理情報ファイル、のいずれかを記憶部に記録し、所定の指示にしたがって上記第１の情報ファイル、または上記記憶部に記録された第１の情報ファイル、のいずれかを管理する第２の管理情報ファイルを上記記憶部に格納する情報信号編集方法であって、
上記記憶部に記録する情報ファイルは、映像データと音声データよりなるストリームデータであり、
上記ストリームデータから上記音声データ、及び上記映像データを分離し、該分離された音声データ及び映像データから時間情報を取得し、
上記分離された音声データをデコードして、上記時間情報に基づいて時間合わせを行い、該時間合わせを行った音声データをエンコードし、
上記分離された映像データと上記エンコードされた音声データとを合成する、
ことを特徴とする情報信号編集方法。
【請求項４】
請求項３に記載の情報信号編集方法において、
上記記憶部に記録する第１の情報ファイルは、該第１の情報ファイルの最大容量の信号の一部を指定したものであり、
上記指定された最大容量の信号の一部を含む情報ファイルを第２の情報ファイルとして上記記憶部に記録し、
上記第２の情報ファイルを管理する管理情報ファイルを上記第２の管理情報ファイルとして上記記憶部に格納する、
ことを特徴とする情報信号編集方法。
【請求項５】
請求項４に記載の情報信号編集方法において、
上記記憶部に記録する情報ファイルは、上記第１の情報ファイルを再生した情報に基づいて上記指定を行う、
ことを特徴とする情報信号編集方法。
【請求項６】
請求項３に記載の情報信号編集方法において、
上記第１の管理情報ファイルのみを上記記憶部に記録し、
上記指示にしたがって上記記憶部に格納された第１の管理情報ファイルを上記第２の管理情報ファイルに書き換え、
上記第２の管理情報ファイルに基づいて上記第１の情報ファイルを第２の情報ファイルとして設定する、
ことを特徴とする情報信号編集方法。
【請求項７】
請求項６に記載の情報信号編集方法において、
上記第２の情報ファイルを複製ファイルとして出力する、
ことを特徴とする情報信号編集方法。
【請求項８】
映像データと音声データよりなるストリームデータから上記音声データ、及び上記映像データを分離し、該分離された音声データ及び映像データから時間情報を取得し、
上記分離された音声データをデコードして、上記時間情報に基づいて時間合わせを行い、該時間合わせを行った音声データをエンコードし、
上記分離された映像データと上記エンコードされた音声データとを合成する、
ことを特徴とする情報信号編集方法。
【請求項９】
映像データと音声データよりなるストリームデータの編集を行う情報信号編集処理をコンピュータにより行うためのプログラムであって、
上記ストリームデータから上記音声データ、及び上記映像データを分離する分離処理を、コンピュータにより行うための第１のプログラムと、
上記分離された音声データ及び映像データから時間情報を取得する時間情報取得処理を、コンピュータにより行うための第２のプログラムと、
上記分離された音声データをデコードして、上記時間情報に基づいて時間合わせを行い、該時間合わせを行った音声データをエンコードする音声データ処理をコンピュータにより行うための第３のプログラムと、
上記分離された映像データと上記エンコードされた音声データとを合成する合成処理を、コンピュータにより行うための第４のプログラムと、を含む、
ことを特徴とする情報信号編集プログラム。
【発明の詳細な説明】
【技術分野】
【０００１】
本発明は、光ディスク等の記録媒体に記録された情報信号を編集する情報信号編集装置、情報信号編集方法、及び情報信号編集プログラムに関するものである。
【背景技術】
【０００２】
近年、民生用の再生映像データの信号はデジタル化の傾向にあり、さまざまな媒体にデジタル化されて記録されている。そのなかで、規格化され、全世界で共通のフォーマットとして、普及しているものにＤＶＤフォーマットがある。このＤＶＤ規格の中には、記録のための規格として、書き換え可能なメディアに映像・音声データを記録し、再生する「ＤＶＤビデオレコーディング規格」というものがある。詳細は当該規格書に記載されているため割愛するが、その概略構成について図１６を用いて説明する。
【０００３】
図１６は、従来のデジタルビデオ記録再生装置の構成を示す図である。
図１６において、１は書き換え可能な媒体であるＤＶＤ−ＲＡＭディスク、２はＤＶＤ−ＲＡＭディスク１に記録されたＭＰＥＧストリーム、３はＤＶＤ−ＲＡＭディスク１に記録されているＭＰＥＧストリーム２の構成要素及びＭＰＥＧ情報（ＭＰＥＧストリーム２の解像度情報、各ＧＯＰの大きさ等のＭＰＥＧのストリーム情報、及び再生開始位置の情報、再生区間を指定する情報等も含まれる）をまとめて管理する第１の管理情報ファイルである。
【０００４】
４は読取手段であり、光学ピックアップなどを介してＤＶＤ−ＲＡＭディスク１から情報信号（実際のファイルデータ）を正確に検出して読み取る。５はＭＰＥＧデコーダであり、読取手段４から出力されたＭＰＥＧストリーム２が入力され、ＭＰＥＧストリーム２からデータを伸張し、映像データと音声データとを復調再生する。６は読取制御手段であり、管理情報解析手段７の結果に基づいて、すなわち、指定された範囲などの制御情報に基づいて、読取手段４を制御する。７は管理情報解析手段であり、読取手段４から出力される信号の内、ＤＶＤ−ＲＡＭディスク１に記録されたビデオレコーディング用の第１の管理情報ファイル３の一部、あるいは全てのデータを取得し解析する。８は映像信号出力端子であり、再生された映像データを出力する。９は音声信号出力端子であり、再生された音声データを出力する。
【０００５】
一方、ＤＶＤ−ＲＡＭディスク１のように、書き換え可能な情報媒体であれば、以下に示すような記録機能を備えることが一般的である。
２０は書換手段であり、ＤＶＤ−ＲＡＭディスク１に第１の管理情報ファイル３に関する情報の書き込み、あるいは消去による書き換えを行う。２２は映像信号入力端子であり、映像信号を入力する。２３は音声信号入力端子であり、音声信号を入力する。２１はＭＰＥＧエンコーダであり、映像信号入力端子２２を介して入力された映像信号と、音声信号入力端子２３を介して入力された音声信号とを圧縮し、ビデオレコーディング規格に準拠したＭＰＥＧストリームを作成する。さらに、２６は再生区間指定手段であり、使用者が所望の再生区間を指定する。２７は再生開始位置指定手段であり、使用者が所望の再生開始位置を指定する。２５は管理情報書換指定手段であり、再生区間指定手段２６や再生開始位置指定手段２７により指定された情報に基づいてＤＶＤ−ＲＡＭディスク１に記録されている第１の管理情報ファイル３の書き換え、または追加する項目などの情報を指定する。２４は書換制御手段であり、管理情報書換指定手段２５で指定された情報への書き換え、又は新たにＭＰＥＧストリーム２の記録、もしくは消去する場合にＤＶＤ−ＲＡＭディスク１に記録されているデータを書き換えるよう書換手段２０を制御する。
【０００６】
以上のように構成された情報信号編集装置の動作について説明する。
まず、ＤＶＤ−ＲＡＭディスク１には、ビデオレコーディング規格に準じた情報信号が記録されている。この情報信号は、映像信号と音声信号とをデジタル化してなるストリームデータと、当該ストリームデータを管理する第１の管理情報ファイル３とを含むものである。このストリームデータは、その規格に仕様が規定されており、例えば、ＭＰＥＧ２などの圧縮復号化されている。また、音声信号は、ＭＰＥＧ音声またはＡＣ−３等の圧縮音声であり、これらが１つのストリームとして専用の構成方法でシステムストリームとして記録されている（以下、例としてＭＰＥＧストリーム２として説明する）。第１の管理情報ファイル３は、１つのファイルとして拡張子が「.ifo」として、ＭＰＥＧストリーム２と同じＤＶＤ−ＲＡＭディスク１に記録され、同一フォルダ内に位置している。
【０００７】
この第１の管理情報ファイル３には、上述したように、記録されているＭＰＥＧストリーム２の構成に関する情報（例えば、圧縮単位であるＧＯＰのサイズや全体の量、１つの記録データのデータ量、映像信号の解像度情報など）が含まれる。さらに、ビデオレコーディング規格では、その再生方法として簡易編集した結果に基づいて再生する機能もサポートされており、簡易編集の結果もこの管理情報ファイルに記録される。
【０００８】
ここでいう簡易編集機能とは、ＤＶＤ−ＲＡＭディスク等に記録されている，ＭＰＥＧストリームと管理情報とからなる情報信号のうち、使用者が所望の再生区間、再生開始位置などを指定することにより、上記管理情報内の指定された部分を書き加えることであり、ＭＰＥＧストリーム自身の変更を行う必要はないため、簡易編集の動作は短時間で行うことができる。したがって、ＤＶＤ−ＲＡＭディスク１のような円盤状記録媒体の特性であるランダムアクセスが速いため、ＤＶＤ−ＲＡＭディスク１上のＭＰＥＧストリーム２等のデータを変更しないにもかかわらず、上述のように簡易編集されたデータをスムースに再生することができる。
【０００９】
図１６では、上記簡易編集機能の代表的な例として、再生開始位置情報を記載している。この再生開始位置情報とは、使用者が見たい場面を指定した情報であり、通常は、ＭＰＥＧストリームの再生位置情報からなるものであり、他には、ＤＶＤ−ＲＡＭディスク１上の物理的あるいは論理的な位置と関連付けがされ、スムースに再生位置が特定できるようになっている場合や、映像音声ストリームデータの時間軸情報や構成要素の数量情報からなる場合もある。
【００１０】
このようなビデオレコーディング規格で記録された情報信号を、読取手段４ではＭＰＥＧデコーダ５などで処理可能な形式で出力する。一般には、この読取手段４は、ＤＶＤ−ＲＡＭ再生手段や、それを組み込んだパソコンなどの情報媒体再生手段を制御する手段を有するもので、専用のアプリケーションやマイコン等で、正確にデータを読み出す制御と、ファイルシステムなどの処理機能とを有することで、再生データとして出力を行うことができる。
【００１１】
読取手段４から出力された信号は、ＭＰＥＧデコーダ５で読み取られた情報が伸長等されてデータが分解される。そして、映像データは、ＭＰＥＧストリーム２から元の非圧縮の映像データに伸張され、音声データは、圧縮されていれば元の非圧縮音声に伸張され、各々のデータは、映像出力端子８ならびに音声出力端子９より外部に出力され、アナログデータへの変換などされた後、それぞれモニターやスピーカーへ出力され、使用者がＤＶＤ−ＲＡＭディスク１に記録された内容を楽しむことができる。
【００１２】
また、読取手段４が出力するデジタル信号の中で、ＤＶＤ−ＲＡＭディスク１に記録されていた第１の管理情報ファイル３の一部のデータは、管理情報解析手段７に入力される。管理情報解析手段７では、ビデオレコーディング記録されたＭＰＥＧストリーム２及び第１の管理情報ファイル３の情報信号のうち、所望の管理情報を読取手段４を介して取得する。そして、その管理情報のうち、再生に関する情報を解析する。つまり、連続再生をおこなうための情報、再生を開始する位置に関する情報、及び／または再生区間を指定する情報を解析し、必要な結果を読取制御手段６に送り、指定の再生形態にあわせて読取手段４を制御する。この場合、図面には記載していないが、使用者とのインターフェースを装備し、使用者の選択どおりの再生情報を解析することを行うことも可能である。
【００１３】
例えば、複数の再生開始位置から、選択された開始位置情報をＤＶＤ−ＲＡＭディスク１に記録されている第１の管理情報ファイル３の中から探し出し、その情報に基づいて実際のＤＶＤ−ＲＡＭディスク１上に記録されたＭＰＥＧストリーム２の再生開始位置に関する情報を読取制御手段６に送り、該読取制御手段６の制御にしたがって読取手段４が読み取りを行うことにより、使用者が所望の選択位置での再生が可能となり、使用者は所望の再生映像と音声を楽しむことができるようになる。
【００１４】
また、このような従来のシステムは、ＤＶＤ−ＲＡＭディスク１への記録機能を有している。図１６において、映像入力端子２２、及び音声入力端子２３に入力された映像信号、及び音声信号は、ＭＰＥＧエンコーダ２１によってＭＰＥＧストリームとして出力される。この場合、映像信号、及び音声信号はＭＰＥＧ圧縮され、システムエンコードされる。当然、このフォーマットは、ＤＶＤ−ＲＡＭディスク１に記録されているＭＰＥＧストリーム２及び第１の管理情報ファイル３と同様に規格に規定されたフォーマットとなる。ＭＰＥＧエンコーダ２１から出力された情報信号は、書換手段２０を通じて、ＤＶＤ−ＲＡＭディスク１に記録される。同時に、ＭＰＥＧストリーム２の構成内容を第１の管理情報ファイル３に追加され、ＤＶＤ−ＲＡＭディスク１に記録された第１の管理情報ファイルを書き換えられ、書き換えられた管理情報ファイルに基づき、ＤＶＤ−ＲＡＭディスク１に記録されたＭＰＥＧストリーム２から選択した第２のＭＰＥＧストリームを再生することになる。このとき、追記録があっても、新たに作成されたＭＰＥＧファイルは１つのファイルであり、これまであったＭＰＥＧストリーム２に付加され、この付加されたＭＰＥＧファイルに関する情報が第１の管理情報ファイル３に新たに登録されることで、再生がスムースに行えるしくみになっている。
【００１５】
また、ビデオレコーディング規格でサポートしている簡易編集が使用者によって行われたときも、ＤＶＤ−ＲＡＭディスク１に記録されている第１の管理情報ファイル３の書き換えが実施される。すなわち、例えば再生区間指定手段２６で特定区間を使用者が指定した場合、その指定範囲に基づいて、管理情報書換指定手段２５を通じて書換制御手段２４と書換手段２０とにより第１の管理情報ファイル３の書き換えが行われる。同様に、再生開始位置指定手段２７により指定された再生開始位置に関する情報に基づいて、第１の管理情報ファイル３に書き加えたり、削除したり、あるいは変更したりすることにより、ＤＶＤ−ＲＡＭディスク１に記録された第１の管理情報ファイルの書き換えが行われる。そして、書き換えられた管理情報ファイルに基づきＤＶＤ−ＲＡＭディスク１に記録されたＭＰＥＧストリーム２から選択した第２のＭＰＥＧストリームを再生する。
【００１６】
このように、簡易編集機能によって、ＤＶＤ−ＲＡＭディスク１上の第１の管理情報ファイル３が書き換えられるが、再生を行う場合にはＤＶＤ−ＲＡＭディスク１に新たに書き換えられたこの管理情報ファイルに基づいて読み取りが行われる。例えば、先に再生開始位置が指定されていれば、使用者は通常再生以外に当該再生開始位置を指定できるため、再生時間が長いデータなどでは再生開始位置を探す必要が無く、即座に所望の再生開始位置を再生できる。
【００１７】
この場合、管理情報ファイル３は、簡易編集等の終了により書き換えが実施され、再生が行われるときには更新された管理情報ファイルが適用されるのが普通であった。特に、電源異常などの発生やＤＶＤ−ＲＡＭディスク１のような可換ディスクの取り出し動作などにより、更新された管理情報ファイルの書き換えを保護するためにも、ＤＶＤ−ＲＡＭディスク１への書き換えは第１の管理情報ファイル３の書き換え指定動作とともに、すぐに実施されていた。
【００１８】
以上のように、簡易編集を行う場合には、ＤＶＤ−ＲＡＭディスク１に記録された管理情報ファイルの書き換えが必要であった。
【特許文献１】特開平１１−６９３０１号公報
【特許文献２】特開平１０−１３６３０８号公報
【発明の開示】
【発明が解決しようとする課題】
【００１９】
しかしながら上記の構成では、情報信号を書き換えることができない場合には、簡易編集が行えないという問題点を有していた。すなわち、ＤＶＤ−ＲＡＭディスク１に書き込まれた情報信号を保護するため、ＤＶＤ−ＲＡＭディスク１に書き込み禁止処理などのいわゆるライトプロテクトをかけた場合などは、ＤＶＤ−ＲＡＭディスク１上の第１の管理情報ファイル３の書き換えが行えないので、上述のようなディスクの特徴を活かした、ＭＰＥＧストリーム２を書き換えることなく、使用者の要望に応じた再生開始位置を指定し、当該指定した位置から再生する簡易編集が行えないことになる。
【００２０】
また、上記の構成では、情報信号の再生は行えるが、ＤＶＤーＲＡＭディスク１に記録された情報信号のうち、使用者が選択した任意の複製ファイルを作成することができない場合があるという問題点を有していた。
【００２１】
さらに、ＭＰＥＧストリームの複製ストリームを作成した場合に、当該複製ストリームを管理する手段がないため、作成した複製ストリームを再生する再生動作に、長時間を要するという問題点を有していた。
【００２２】
そこで、本発明は、上記問題点を解消するためになされたものであり、ディスク等の状態が、該ディスクに記録されている情報信号の書き換え可能状態であるか、あるいは不能状態であるかに関係なく、情報信号を容易に編集可能な情報信号編集装置、情報信号編集方法、及び情報信号編集プログラムを提供することを目的とする。
【課題を解決するための手段】
【００２３】
本発明の請求項１にかかる情報信号編集装置は、相独立するとともに関連性を有する容量の大きさが異なる複数信号よりなる第１の情報ファイルと、該第１の情報ファイルを管理する第１の管理情報ファイルとを含む情報信号を編集する情報信号編集装置において、上記第１の情報ファイル、または上記第１の管理情報ファイルのいずれかを記憶部に記録する記録手段と、所定の指示にしたがって上記情報信号中に含まれる上記第１の情報ファイル、または上記記録手段により上記記憶部に記録された第１の情報ファイル、のいずれかを管理する第２の管理情報ファイルを上記記憶部に格納する管理情報ファイル格納手段と、上記記憶部に記録する情報ファイルは、音声データと映像データとよりなるストリームデータであり、上記ストリームデータから上記音声データ、及び上記映像データを分離する分離手段と、上記分離手段の出力データから時間情報を取得する時間情報取得手段と、上記分離手段により分離された音声データをデコードする音声デコード手段と、上記音声デコード手段の出力データに対して、一部データを加える、または削除することにより時間合わせを行う時間合わせ手段と、上記時間合わせ手段の出力データを所定の形式で圧縮する音声エンコード手段と、上記分離手段により分離された映像データと上記音声エンコード手段の出力とを合成する合成手段とを備えた、ことを特徴とする。
【００２４】
これにより、使用者が所望の情報信号の編集を簡単に行うことができ、また、映像データの画質が劣化することなく、簡単に音声ずれのないファイルを合成することができる。
【００２５】
また、本発明の請求項２にかかる情報信号編集装置は、映像データと音声データよりなるストリームデータの編集を行う情報信号編集装置において、上記ストリームデータから上記音声データ、及び上記映像データを分離する分離手段と、上記分離手段の出力データから時間情報を取得する時間情報取得手段と、上記分離手段により分離された音声データをデコードする音声デコード手段と、上記音声デコード手段の出力データに対して、一部データを加える、または削除することにより時間合わせを行う時間合わせ手段と、上記時間合わせ手段の出力データを所定の形式で圧縮する音声エンコード手段と、上記分離手段により分離された映像データと上記音声エンコード手段の出力とを合成する合成手段と、を含む、ことを特徴とする。
【００２６】
これにより、映像データの画質が劣化することなく、簡単に音声ずれのないファイルを合成することができる。
【００２７】
また、本発明の請求項３にかかる情報信号編集方法は、相独立するとともに関連性を有する容量の大きさが異なる複数信号よりなる第１の情報ファイル、該第１の情報ファイルを管理する第１の管理情報ファイル、のいずれかを記憶部に記録し、所定の指示にしたがって上記第１の情報ファイル、または上記記憶部に記録された第１の情報ファイル、のいずれかを管理する第２の管理情報ファイルを上記記憶部に格納する情報信号編集方法であって、上記記憶部に記録する情報ファイルは、映像データと音声データよりなるストリームデータであり、上記ストリームデータから上記音声データ、及び上記映像データを分離し、該分離された音声データ及び映像データから時間情報を取得し、上記分離された音声データをデコードして、上記時間情報に基づいて時間合わせを行い、該時間合わせを行った音声データをエンコードし、上記分離された映像データと上記エンコードされた音声データとを合成する、ことを特徴とする。
【００２８】
これにより、使用者が所望の情報信号の編集を簡単に行うことができ、また、映像データの画質が劣化することなく、簡単に音声ずれのないファイルを合成することができる。
【００２９】
また、本発明の請求項４にかかる情報信号編集方法は、請求項３に記載の情報信号編集方法において、上記記憶部に記録する第１の情報ファイルは、該第１の情報ファイルの最大容量の信号の一部を指定したものであり、上記指定された最大容量の信号の一部を含む情報ファイルを第２の情報ファイルとして上記記憶部に記録し、上記第２の情報ファイルを管理する管理情報ファイルを上記第２の管理情報ファイルとして上記記憶部に格納する、ことを特徴とする。
【００３０】
これにより、使用者が前もって指定した第１の管理情報ファイルに基づく第１の情報ファイルを記憶部に格納すると共に、当該記憶部に格納した第２の情報ファイルに関する管理情報を有する第２の管理情報も当該記憶部に格納するため、第２の管理情報ファイルに基づき、使用者の要望に応じた第２の情報ファイルを自由に指定することができ、その結果、使用者の要望に応じた編集を行うことができる。
【００３１】
また、本発明の請求項５にかかる情報信号編集方法は、請求項４に記載の情報信号編集方法において、上記記憶部に記録する情報ファイルは、上記第１の情報ファイルを再生した情報に基づいて上記指定を行う、ことを特徴とする。
【００３２】
これにより、再生情報が入力されていない第１の管理情報が管理する第１の情報ファイルに対して、使用者の要求に応じた当該第１の情報ファイルの再生箇所または再生範囲を第２の情報ファイルとして自由に指定し記憶部に格納でき、当該記憶部に第２の情報ファイルと共に格納した第２の管理情報ファイルに基づき、当該第２の情報ファイルを使用者の自由に指定することができ、その結果、使用者の要望に応じた編集を行うことができる。
【００３３】
また、本発明の請求項６にかかる情報信号編集方法は、請求項３に記載の情報信号編集方法において、上記第１の管理情報ファイルのみを上記記憶部に記録し、上記指示にしたがって上記記憶部に格納された第１の管理情報ファイルを上記第２の管理情報ファイルに書き換え、上記第２の管理情報ファイルに基づいて上記第１の情報ファイルを第２の情報ファイルとして設定する、ことを特徴とする。
【００３４】
これにより、情報信号の書き換えを行えない状態のとき、第１の管理情報ファイルから任意の再生開始位置や再生区間を指定した第２の情報ファイルを設定、または当該第２の情報ファイルを出力し再生等することができる。
【００３５】
また、本発明の請求項７にかかる情報信号編集方法は、請求項６に記載の情報信号編集方法において、上記第２の情報ファイルを複製ファイルとして出力する、ことを特徴とする。
【００３６】
これにより、簡易編集や簡易編集の結果を利用して範囲指定された複数のファイルを作成する装置を、システム構成を大きく変えずに、簡単に実現することができる。
【００３７】
また、本発明の請求項８にかかる情報信号編集方法は、映像データと音声データよりなるストリームデータから上記音声データ、及び上記映像データを分離し、該分離された音声データ及び映像データから時間情報を取得し、上記分離された音声データをデコードして、上記時間情報に基づいて時間合わせを行い、該時間合わせを行った音声データをエンコードし、上記分離された映像データと上記エンコードされた音声データとを合成する、ことを特徴とする。
【００３８】
これにより、映像データの画質が劣化することなく、簡単に音声ずれのないファイルを合成することができる。
【００３９】
また、本発明の請求項９にかかる情報信号編集プログラムは、映像データと音声データよりなるストリームデータの編集を行う情報信号編集処理をコンピュータにより行うためのプログラムであって、上記ストリームデータから上記音声データ、及び上記映像データを分離する分離処理を、コンピュータにより行うための第１のプログラムと、上記分離された音声データ及び映像データから時間情報を取得する時間情報取得処理を、コンピュータにより行うための第２のプログラムと、上記分離された音声データをデコードして、上記時間情報に基づいて時間合わせを行い、該時間合わせを行った音声データをエンコードする音声データ処理をコンピュータにより行うための第３のプログラムと、上記分離された映像データと上記エンコードされた音声データとを合成する合成処理を、コンピュータにより行うための第４のプログラムと、を含む、ことを特徴とする。
【００４０】
これにより、映像データの画質が劣化することなく、簡単に音声ずれのないファイルが合成することができる。
【発明を実施するための最良の形態】
【００４１】
以下、本発明の実施の形態について図面を参照しながら説明する。なお、ここで示す実施の形態はあくまでも一例であって、必ずしもこの実施の形態に限定されるものではない。
【００４２】
（実施の形態１）
以下に、本発明の実施の形態１にかかる情報信号編集装置について説明する。
図１は、本実施の形態１による情報信号編集装置の構成を示す図である。図において、図１６と同一または相当する構成要素については同じ符号を用い、その説明を省略する。
【００４３】
図１において、１０２は記憶部（以下、メモリと称す）、１０１は管理情報記録手段であり、読取手段４の出力のうち、ＤＶＤ−ＲＡＭディスク１に記録されている第１の管理情報ファイル３をメモリ１０２に記録する。１０３は書換手段であり、メモリ１０２に記録された管理情報ファイルを、所望の再生開始位置または所望の再生区間（以下、両者を総称して再生動作と称す）を指定する第２の管理情報ファイルに書き換える書換手段である。１００は管理情報設定手段であり、書換手段１０３で書き換えた第２の管理情報ファイルに基づいて上記ＭＰＥＧストリーム２のうち、所望のＭＰＥＧストリーム（以下、第２のＭＰＥＧストリームと称す）の再生動作になるように設定する。
【００４４】
なお、メモリ１０２は、書き込みのできない状態のＤＶＤ−ＲＡＭディスク１以外であれば何れでもよい。例えば、パソコンを経由して再生する場合であればハードディスクでもよく、記録機能を備えたドライブをもう１つ備える場合であれば当該ドライブで記録できる媒体でもよいし、あるいはリムーバブルのメモリカード等でもよい。
【００４５】
以上のように構成された情報信号編集装置の動作について図２を用いて説明する。なお、ＤＶＤ−ＲＡＭディスク１は書換可能媒体であるので、本来は書き換えが可能であるが、ここでは、ＤＶＤ−ＲＡＭディスク１から得られた情報信号の書き換えが不能である場合、例えば、ＤＶＤ−ＲＡＭ再生機能を備えたＤＶＤ−ＲＯＭドライブなどのように書き換え用のハードウェアがないＲＯＭ型のドライブにＤＶＤ−ＲＡＭディスク１が装着された場合、ＤＶＤ−ＲＡＭディスク１がケースのノッチあるいはソフトウェア的にライトプロテクト機能を動作している場合に簡易編集機能を発揮する装置について説明する。
【００４６】
まず、読取手段４により情報信号を読み取り（ステップＳ１０１）、管理情報記録手段１０１により該読み取られた情報信号のうち、第１の管理情報ファイル３を管理情報ファイルとしてメモリ１０２に記録する（ステップＳ１０２）。
【００４７】
その後、管理情報設定手段１００では、メモリ１０２に記録された第１の管理情報ファイルを管理情報として設定し、該管理情報に従って再生動作が行われる（ステップＳ１０６）。なお、メモリ１０２に記録する管理情報ファイルは、第１の管理情報ファイル３の部分的なファイルではなく、第１の管理情報ファイル３そのままである。このとき、ＭＰＥＧストリーム２も記録することは可能であるが、如何にＭＰＥＧ圧縮を施したとしても、記録時間が長くなるとファイルのサイズが数Ｇサイズとなり、大きなメモリ容量を必要とするので、必ずしもＭＰＥＧストリームを記録しなくてもよい。
【００４８】
このようにＤＶＤ−ＲＡＭディスク１から得られた情報信号は、ＭＰＥＧストリーム２の書き換えから保護しながら、通常と同様に読み取りを行うことができる。
【００４９】
次に、使用者が再生区間指定手段２６または再生開始位置指定手段２７により見たい映像あるいは聞きたい部分を指定した場合について説明する（ステップＳ１０３）。なお、再生動作を指定する際には、不図示の再生手段（映像であれば表示手段、音声であれば音声発声手段）に基づき行うことが好ましい。ここでは、映像再生開始位置の指定を例にとり説明すると、再生している映像を視認しながら所望の位置を再生開始位置指定手段２７で指定して、該指定した箇所の再生映像を小さな静止画データ（以下、サムネイルデータと称す）を取得し、別の管理手段で管理する。このサムネイルデータがあれば、複数の再生開始指定箇所が後から指定された場合であっても、簡易編集を行う際の識別が容易になる。また、再生区間指定手段２６では、再生したい映像の範囲を単一指定または複数の映像の範囲を指定することができる。なお、再生区間指定手段２６及び再生開始位置指定手段２７を組み合わせ、両者を共に指定することも可能である。
【００５０】
このように再生区間指定手段２６及び／または再生開始位置指定手段２７により指定することで、ＭＰＥＧストリーム２の再生位置に関する管理情報が新たに発生する（ステップＳ１０４）。
【００５１】
そして、書換手段１０３では、メモリ１０２に記録されている管理情報ファイル（ここでは、第１の管理情報ファイル）のうち、再生区間に関する情報及び／または再生開始位置に関する情報部分だけを上記新たに発生した管理情報に書き換え、第２の管理情報ファイルとしてメモリ１０２に記録する（ステップＳ１０５）。なお、新規の位置指定であれば管理情報の追加になるが、ここでは、この場合も書き換えとして説明する。
【００５２】
このように、書き換え不能な状態のＤＶＤ−ＲＡＭディスク１に記録されている第１の管理情報ファイル３をメモリ１０２に記録し、再生区間指定手段２６及び／または再生開始位置指定手段２７で指定することにより上記メモリ１０２に記録された管理情報を第１の管理情報ファイル３と異なる内容、つまり、第２の管理情報ファイルに更新する。
【００５３】
管理情報設定手段１００では、ＤＶＤ−ＲＡＭディスク１に記録されているＭＰＥＧストリーム２を、管理していた第１の管理情報ファイル３に代え、メモリ１０２に記録されている上記書換手段１０３により書き換えられた第２の管理情報ファイルで管理するよう設定する（ステップＳ１０６）。すなわち、ＭＰＥＧストリーム２の管理情報をＤＶＤ−ＲＡＭディスク１上の第１の管理情報ファイル３ではなく、メモリ１０２上の第２の管理情報ファイルとなるよう、第１の管理情報ファイル３を第２の管理情報ファイルに書き換え、ＭＰＥＧストリームについてはＤＶＤ−ＲＡＭディスク１上のＭＰＥＧストリーム２を用いるように設定する。
【００５４】
この管理情報設定手段１００により設定された管理情報（これは、第２の管理情報ファイル）を管理情報解析手段７で解析して読取制御手段６を介して再生動作を行う。
【００５５】
具体的には、再生開始位置を例にとれば、管理情報解析手段７は再生開始に関する管理情報を管理情報設定手段１００から取得し、当該管理情報を再生の始まる位置に指定するように読取制御手段６に指示を出す。読取制御手段６では、管理情報解析手段７の指示に従って読取手段４をコントロールして再生開始の指定を行う。
【００５６】
このようにして、読取手段４からは、これまでどおりＤＶＤ−ＲＡＭディスク１のＭＰＥＧストリーム２を用いて、再生動作に合致した第２のＭＰＥＧストリームが出力されるよう管理情報設定手段１００で設定され、第２のＭＰＥＧストリームがＭＰＥＧデコーダ５に入力され、使用者が所望の開始位置から映像・音声データを再生することができる。
【００５７】
なお、上記再生開始位置の設定は、メモリ１０２に記録された管理情報ファイルを第２の管理情報ファイルに書き換えるだけであり、ＭＰＥＧストリーム２は変更しないために非常に速く簡単な動作である。このとき、複数の再生開始位置が１つのＭＰＥＧストリームに付与される。
【００５８】
このような実施の形態１による情報信号編集装置では、管理情報記録手段１０１により第１の管理情報ファイルのみを上記メモリ１０２に記録し、使用者による指示にしたがって書換手段１０３により上記メモリ１０２に格納された第１の管理情報ファイルを第２の管理情報ファイルに書き換え、上記第２の管理情報ファイルに基づいて上記第１の情報ファイルを第２の情報ファイルとして設定するようにしたので、ＤＶＤ−ＲＡＭディスク１の情報信号を書き換え不能な状態においても、任意の再生動作を指定して、情報信号の再生を仮想的に行うことができ、その結果、円盤状媒体の特徴を活かして瞬時に使用者が所望の再生信号を得ることができる。
【００５９】
（実施の形態２）
以下に、本発明の実施の形態２にかかる情報信号編集装置について説明する。
図３は、本実施の形態２による情報信号編集装置の構成を示す図である。図において、図１と同一または相当する構成要素については同じ符号を用い、その説明を省略する。
【００６０】
２００は複製作成範囲指定手段であり、管理情報設定手段１００で設定した第２の管理情報ファイルから複製すべき範囲を指定する。２０１は複製出力手段であり、ＤＶＤ−ＲＡＭディスク１の情報信号、すなわちＭＰＥＧストリーム２のデータを複製し出力する。２０２は複製信号出力端子であり、複製出力手段２０１で複製された第２のＭＰＥＧストリーム情報を出力する。
【００６１】
以上のように構成された情報信号編集装置の動作について図４を用いて説明する。ここでは、上記実施の形態１と異なる部分について説明する。第２のＭＰＥＧストリームに対応したＭＰＥＧファイルの複製を作成する際にも第２の管理情報ファイルは有効である。なお、ここでは再生開始位置指定手段２７で指定した第２のＭＰＥＧストリームの信号複製について説明するが、再生区間指定手段２６で指定した再生区間の場合も同様である。
【００６２】
通常、ＤＶＤ−ＲＡＭディスク１上に記録されているＭＰＥＧストリームデータ２の複製ファイルを作成する場合、ＭＰＥＧストリーム２の全データの複製を作成することは容易であるが、使用者が指定した所望のＭＰＥＧストリーム２の一部分である第２のＭＰＥＧストリームの複製ファイルを作成する場合は別の処理が必要となる。特に、再生開始位置として指定した場所で区切りをつけたい場合であれば、再生開始位置を指定しておくだけで、再生開始位置を指定範囲として複製を作成すればよいが、ＤＶＤ−ＲＡＭディスク１上の第１の管理情報ファイル３は書き換えができないとき、任意の再生開始位置を指定することができない。
【００６３】
そこで本実施の形態２では、以下のように複製ファイルを出力する。
まず、ＤＶＤ−ＲＡＭディスク１から情報信号を読み出し、ＭＰＥＧストリーム２を再生し、再生開始位置指定手段２７にて再生開始位置を指定し、該指定された再生開始位置情報に基づいて第２の管理情報ファイルを作成し、書換手段１０３によりメモリ１０２の管理情報ファイルを第２の管理情報ファイルに書き換える。
【００６４】
管理情報設定手段１００では、上記新たに書換手段１０３で書き換えた第２の管理情報ファイルを管理情報解析手段７に設定し、該第２の管理情報ファイルのデータに基づいてＤＶＤ−ＲＡＭディスク１のＭＰＥＧストリーム２の再生動作を行い、所望の再生開始位置から再生する。
【００６５】
そして、複製作成範囲指定手段２００では、上記第２の管理情報ファイルに設定された再生開始位置情報に基づいて、複製したい映像データの範囲が指定される（ステップＳ２０１）。この範囲は、再生開始位置情報と一致するものであり、例えば、先頭の開始位置Ａ点と、中ほどの再生開始位置がＢ点ならびに末尾付近の再生開始位置Ｃ点と１つのＭＰＥＧファイルに３点存在した場合、ＡからＢの範囲のデータ、ＢからＣの範囲のデータ、Ｃから最後までのデータの３つの区間を指定できる。
【００６６】
複製出力手段２０１では、上述のような指定に基づいてＤＶＤ−ＲＡＭディスク１上のＭＰＥＧストリーム２を読取手段４から読み出し、ＭＰＥＧストリーム２の指定範囲ごとの複製ファイルをＭＰＥＧファイルとして作成し、複製信号出力端子２０２から出力する（ステップＳ２０２）。このとき、ＡからＢの範囲のデータ、ＢからＣの範囲のデータ、Ｃから最後までのデータの３つに分割されたＭＰＥＧファイルが出力される。言い換えれば、１つのＭＰＥＧストリーム２の任意の区間を、第２の情報ファイルに基づいてＭＰＥＧファイルとして切り出すことができる。なお、この場合の指定位置は一部とする、または区間として指定する、は使用者の選択次第である。
【００６７】
なお、通常は再生開始位置情報に従って、指定した位置のＭＰＥＧストリームが全て複製ファイルとして出力されるが、複数の再生開始位置情報がある場合、その複数の再生開始位置情報のうち、任意の一つの再生開始位置情報を使用者が選択し複製作成範囲指定手段２００を介して指定すれば、所望の複製ファイルを作成することができる。
【００６８】
これによって、指定したシーンで始まるＭＰＥＧファイルを作成し、このファイルを基に、専用のＤＶＤタイトル、及び／またはプレゼンテーション用の動画シーン等を作成することができる。さらに、複製信号出力端子２０２から出力するＭＰＥＧファイルは、第２の管理情報ファイルに基づいて再生開始位置を書き換えることになるため、ディスクの状態が書き換え不能な状態であるときにも、任意の再生開始位置を簡単に指定することができる。例えば、複製信号出力端子２０２の出力信号を他の媒体に記録すれば、この媒体には、上記任意の開始位置情報を有するＭＰＥＧファイルが記録されることになる。
【００６９】
なお、ここでは第２の管理情報ファイルを１つとして説明したが、例えば作成したファイルのファイル名を変えておく、あるいは保存場所を変えるなどで複数の第２のファイルを独立して存在させることができる。再生開始位置の指定などは任意の位置に指定できるため、この構成を採用すると、１つの第１の情報ファイルに対し複数の再生パターンを作成でき、しかも当該パターンを独立したファイルとして併存することができ、好みの再生指定位置の再生パターンをいつでも自由に選択できる効果を発揮できる。
【００７０】
また、ＤＶＤ−ＲＡＭディスクなどの記録型ディスクでは、例えば、初期化フォーマット時にボリュームラベル、またはディスク特有の番号等ディスク固有情報を作成することができるため、当該ディスク固有情報をも併せて利用することができる。すなわち、ディスク固有情報を読取手段４で読み取り、当該読み取ったディスク固有情報を管理情報記録手段１０１で取得すると共に、第２の管理情報ファイルと関連づけを行うことができる。例えば、ディスク固有の番号であれば、当該番号をファイル名の末尾に付加する手法を適用する等である。
【００７１】
また、可換ディスクが挿入された場合に、管理情報設定手段１００により当該可換ディスクに対応する第２の管理情報ファイルを管理情報解析手段７に設定することで、可換ディスク毎の第２の管理情報ファイルに基づいて可換ディスクに記録されている情報ファイルを処理することもできる。この構成を採用すると、可換ディスクが入れ替わった場合でも、当該可換ディスクに対応する第２の管理情報ファイルを独立して用いることができ、本実施の形態２で説明したような様々な再生パターンを指定することにより、使用者が所望の第２の情報ファイルの複製を作成することができる。
【００７２】
このような実施の形態２による情報信号編集装置では、管理情報記録手段１０１により第１の管理情報ファイルのみを上記メモリ１０２に記録し、使用者による指示にしたがって書換手段１０３により上記メモリ１０２に格納された第１の管理情報ファイルを第２の管理情報ファイルに書き換え、上記第２の管理情報ファイルに基づいて上記第１の情報ファイルを第２の情報ファイルとして設定し、該第２の情報ファイルを複製ファイルとして出力するようにしたので、ＤＶＤ−ＲＡＭディスク１の情報信号を書き換え不能な状態においても、使用者の指示にしたがって作成した第２の管理情報ファイルに基づく再生を、従来の記録再生システムを利用しながら仮想的に行うことができるとともに、上記情報信号内の第１の情報ファイルの部分的な複製ファイルを作成することができる。
【００７３】
なお、上記実施の形態１、２では、何れも情報信号がＤＶＤ−ＲＡＭディスクに記録されている場合について説明を行ったが、情報信号はＤＶＤ−ＲＡＭディスクに限るものではなく、例えばＣＤ−ＲＯＭ、ＤＶＤ−ＲＯＭ等のいわゆるＲＯＭ媒体に記録された信号、例えば不揮発性のメモリに記録された信号、例えば有線あるいは無線を介して得られるネットワークあるいは放送等の信号などにも適用できる。また、情報信号を記録した書換可能型媒体が記録不能の状態にあることを前提としたが、書換可能型媒体が記録可能状態にある場合、情報信号を記録した書換可能媒体の容量に余裕があれば当該書換可能媒体の空き容量を記憶部に適応する構成も可能である。同様に、ＣＤ−ＲまたはＤＶＤ−Ｒのような追記型媒体であっても適用できること勿論である。
【００７４】
また、上記実施の形態１、２では、映像データを例に説明をしたが、映像データに限らず、管理情報ファイルを有する情報信号であれば、第１の管理情報ファイルを第２の管理情報ファイルとして置き換えることができるため、本発明の効果が得られる。さらに、情報ファイルをＭＰＥＧストリームとして説明したが、これ以外のフォーマットであっても良いし、また、ＭＰＥＧストリームから別のファイル形式に変換をかけることも可能である。
【００７５】
（実施の形態３）
以下に、本発明の実施の形態３にかかる情報信号編集装置について説明する。
図５は、本実施の形態３による情報信号編集装置の構成を示す図である。図において、図１及び図１６と同一または相当する構成要素については同じ符号を用い、その説明を省略する。
【００７６】
図５において、３０１は再生情報抽出手段であり、ＤＶＤ−ＲＡＭディスク１上の第１の管理情報ファイル３を解析する管理情報解析手段７の解析結果から再生に関する情報を抽出する。３０２はＭＰＥＧストリーム書込手段であり、再生情報抽出手段３０１で抽出した情報に基づき、ＭＰＥＧストリーム２から所望のＭＰＥＧストリーム（以下、第２のＭＰＥＧストリームと称す）としてメモリ３００に記録する。３０３は変換手段であり、メモリ３００に記録するＭＰＥＧストリーム２を適切な情報ファイルになるよう特性を一部変換する。なお、特性を一部変換するとは、汎用的なＭＰＥＧストリームに変換することである。３０４は管理情報ファイル書込手段であり、第１の管理情報ファイル３のうち、メモリ３００に記憶された第２のＭＰＥＧストリームに関する情報を整理してファイル化し、メモリ３００に書き込む。
【００７７】
以上のように構成された情報信号編集装置について図６を用いて説明する。
まず、ＤＶＤ−ＲＡＭディスク１上の情報信号の書き換えについて説明する。
ＤＶＤ−ＲＡＭディスク１には、映像信号と音声信号とがデジタル化され、ＭＰＥＧストリーム２として記録されている。ここで、ＭＰＥＧストリーム２は、映像データ２ａと音声データ２ｂとを主な構成要素とする。このとき、映像データ２ａは情報量が多いので、音声データ２ｂより容量は大きいのが普通である。
【００７８】
また、ＭＰＥＧストリーム２の構成に関する情報が、第１の管理情報ファイル３として記録される。第１の管理情報ファイル３には、再生開始位置情報３ａや各記録データを、使用者が識別したり管理したりするために付与したテキストデータ３ｂなどから構成されるものとする。通常、このテキストデータ３ｂは、ビデオレコーディング規格で記録された映像の区切りごと、あるいは再生開始位置ごとなどに、それらの名前を付けたときに付与され、付与されるたびに第１の管理情報ファイル３に書き加え、または書き換えられていく。この第１の情報ファイル３は、ＭＰＥＧストリーム２とＤＶＤ−ＲＡＭディスク１の同じフォルダ内に記録されている。
【００７９】
映像データ２ａ及び／または音声データ２ｂが記録される場合（ステップＳ３０１）、ＭＰＥＧエンコーダ２１でエンコードされた映像データ及び／または音声データは、書換手段２０により、ＤＶＤ−ＲＡＭディスク１へ記録されるとともに、第１の管理情報ファイルが更新される（ステップＳ３０２）。
【００８０】
但し、追記記録であっても、新たに作成されたＭＰＥＧストリームは１つのファイルであり、ＤＶＤ−ＲＡＭディスク１に記録されているＭＰＥＧストリーム２に付加され、該付加されたＭＰＥＧストリームに対して第１の管理情報ファイル３が新たに登録され、再生がスムースに行える仕組みになっている。なお、付加されたＭＰＥＧストリーム毎に区切り情報が第１の管理情報ファイル３に記録されるため、１つのファイルであっても再生する際には記録した単位毎に区別でき、再生側では記録した単位毎の区分情報を基に、先頭の映像を例えば縮小静止画像（以下、サムネイルと称す）に出すことで、使用者に使い易さを提供できる。
【００８１】
また、映像データ２ａと音声データ２ｂとを新たに記録せず、第１の管理情報ファイル３だけを書き換える場合（ステップＳ３０３）、該第１の管理情報ファイル３を書き換えてＤＶＤ−ＲＡＭディスク１に記録する（ステップＳ３０４）。これにより、所望のＭＰＥＧストリーム２を再生するよう簡易編集を行うことができる。
【００８２】
簡易編集機能とは、再生開始位置を例に挙げると、使用者が再生開始位置指定手段２７で所望の再生開始位置を、映像を視認しながら指定し、当該指定したＭＰＥＧストリーム２を管理する管理情報を、管理情報書換指定手段２５及び書換制御手段２４を介して書換手段２０により書き換える。再生時には、第１の管理情報ファイル３に基づき、ＭＰＥＧストリーム２のうち、所望の再生開始位置からの再生を行うものである。すなわち、例えば映像データ２ａをデコードして再生しながら、ＤＶＤ−ＲＡＭディスク１に格納されているＭＰＥＧストリーム２の、任意の再生開始位置の映像信号をモニターなどで視認し、再生開始位置指定手段２７によって所望の再生開始位置を指定する。このとき、音声データ２ｂをデコードした音声情報によることも可能ではあるが、映像データ２ａをデコードした映像情報のほうが一般的には区切りがはっきりするので、上記のように映像データ２ａの位置を指定するほうが指定し易く、また指定後の再生でサムネイルとして視認できるため効果的である。
【００８３】
具体的には、映像データ２ａのうち、使用者が所望する再生開始位置を再生開始位置指定手段２７を介して指定した場合、管理情報書換指定手段２５によって第１の管理情報ファイル３のうち、管理情報の書き換えの必要な部分が指定され、書換制御手段２４の制御に応じて書換手段２０により書き換えられる。このとき、ＭＰＥＧストリーム２はＤＶＤ−ＲＡＭディスク１に記録された状態のままであり、第１の管理情報ファイル３だけが書き換えられる。
【００８４】
以上のように、例えばＭＰＥＧストリームデータ２が追加等され新たなＭＰＥＧストリームとして記録される場合、または簡易編集によりＭＰＥＧストリーム２が含まれるストリームデータから選択的に再生する場合等には、第１の管理情報ファイル３が更新され、ＤＶＤ−ＲＡＭディスク１の情報信号は、再度読取手段４によって読み取られ、再生が開始される。この場合にも、ＤＶＤ−ＲＡＭディスク１で第１の管理情報ファイルを更新した管理情報ファイルに記載された情報に基づき再生が行われる構成は、従来例で説明した通りである。
【００８５】
次に、上記第１の管理情報ファイル３が更新された後の再生動作、簡易編集について説明する。
まず、ＤＶＤ−ＲＡＭディスク１から情報信号（ＭＰＥＧストリーム２と第１の管理情報ファイル３）を読み取る（ステップＳ３０５）。
【００８６】
また、再生開始位置を指定または追記されたＭＰＥＧストリーム２または新たに設定したＭＰＥＧストリームの区切りを管理するよう更新された第１の管理情報ファイル３は読取手段４で読み取られ、ＭＰＥＧストリーム２はＭＰＥＧストリーム書込手段３０２へ入力され、第１の管理情報ファイル３は、管理情報解析手段７へ入力される（ステップＳ３０６）。
【００８７】
そして、再生情報抽出手段３０１では、第１の管理情報ファイルの中から再生情報を抽出する（ステップＳ３０７）。再生情報とは、先に説明した再生開始位置を指定した簡易編集の再生開始位置情報などがこれに該当し、この再生開始位置情報はＭＰＥＧストリーム書込手段３０２に出力される。
【００８８】
ＭＰＥＧストリーム書込手段３０２では、再生情報抽出手段３０１により抽出された再生情報に基づいてＤＶＤ−ＲＡＭディスク１上のＭＰＥＧストリーム２またはＭＰＥＧストリーム２に所望のＭＰＥＧストリームを新たに加えたＭＰＥＧストリームを、使用者が所望の範囲や大きさを指定された第２のＭＰＥＧストリームとしてメモリ３００に書き込む（ステップＳ３０８）。つまり、上記再生開始位置情報に基づき、ＭＰＥＧストリーム書込手段３０２で格納すべきファイルデータの先頭と終端を決定する。例えば、再生開始情報として１つのＭＰＥＧストリームに先頭からＡ点、Ｂ点、Ｃ点の３点が存在する場合、Ａ点を先頭にＢ点まで、Ｂ点を先頭にＣ点まで、及びＣ点を先頭に最後までの３つのＭＰＥＧストリームを読取手段４で読み取り、３つのＭＰＥＧストリームをメモリ３００に記録することで、メモリ３００には３つのＭＰＥＧストリームが作成されることになる。但し、ここでは、メモリ３００に記録する前に変換手段３０３に入力している構成を図示している。これは、ＭＰＥＧストリーム２の一部を変更する必要があるときの例で、変換手段３０３では読み取られたＭＰＥＧストリーム２の一部を変換する、またはパケット情報を付け加える等により、ＭＰＥＧストリームの構成を一部修正しメモリ３００に出力する構成の一例である。但し、最終目的である再生対象の第２のＭＰＥＧストリームの構造が例えばビデオレコーディング規格通りである等の特殊な場合には、なにも修正を加えない場合もある。
【００８９】
なお、ここでは再生開始位置情報で説明しているが、ＤＶＤ−ＲＡＭディスク１に記録されている第１の管理情報ファイル３には、追記された記録の区分情報があり、この記録の区分情報でもよく、その場合には追記の区分で異なる複数の第２の情報ファイルがメモリ３００に格納されることになる。
【００９０】
管理情報ファイル書込手段３０４では、ＭＰＥＧストリーム書込手段３０２がメモリ３００に記録した第２のＭＰＥＧストリームに関する情報をＤＶＤ−ＲＡＭディスク１上の第１の管理情報ファイル３の中から選んで、第２の管理情報ファイルとしてメモリ３００に書き込む（ステップＳ３０９）。なお、第２の管理情報ファイルは、１つの特定形式のファイルで記録されるものであり、第２の管理情報ファイルに記録される情報とは、メモリ３００に格納された第２のＭＰＥＧストリームに対応するものであり、使用者が特定した情報などである。例えば、メモリ３００に再生開始位置情報につけられた名前などのテキストデータや、再生開始位置を圧縮した映像データなどがある。もちろん、再生開始位置情報に付けられた名前などのテキストデータは、使用者が所望のファイル名を付与しても、日付や時間などの情報を使い異なる名前を自動的に付与してもよい。このようにすれば、名前がない場合にも自動的にテキストデータを管理することができる。
【００９１】
なお、第２の管理情報ファイルの管理情報ファイル書込手段３０４のメモリ３００に対する出力形式は、１つのファイルとしてメモリ３００に格納する。このときのファイルの形式は、ＨＴＭＬとよばれる形式が望ましい。すなわち、ＨＴＭＬの形式のファイルであれば、汎用性があるためどこでも使用できると共に、その機能の１つに、記録された文字に第２のＭＰＥＧストリームとの関連付けが可能となるため、第２のＭＰＥＧストリームのメニューの機能を付加できるという利点がある。
【００９２】
例えば、管理情報ファイル書込手段３０４が、メモリ３００に出力する第２の管理情報ファイルに記述され、再生開始位置情報につけられた名前などのテキストデータに、当該テキストデータに対応するメモリ３００に格納された第２のＭＰＥＧストリームを関連づけておく、あるいは、再生開始位置を圧縮した映像データに、当該映像データに対応する格納された第２のＭＰＥＧファイルを関連づけておくことも可能である。これらの設定は、第２の管理情報ファイルをメモリに格納するときに、テキスト形式の記述を行うだけで実現することが可能である。特に、複数のＭＰＥＧファイルがメモリに格納される場合には、第２の管理情報ファイルに、複数のファイル名と実際のＭＰＥＧファイルとを関連づけすることができる。この場合には、格納された第２の管理情報ファイルを開き、記載されているＭＰＥＧファイル名を指定あるいは専用ブラウザ上でクリックするだけで、所望のＭＰＥＧファイルの再生が指定できることになる。このように一度に複数のＭＰＥＧファイルが格納されているときでも、１つの第２の管理情報ファイルで再生が簡単に行える。
【００９３】
このメモリ３００として例えばハードディスクなどのパソコンで制御できる記憶部にこれらのシステムをつくると、管理情報ファイル書込手段３０４が出力するファイルを専用のブラウザで開き、テキストデータを選択さえすれば、例えばパソコンに付属するデコーダで関連付けされた第２のＭＰＥＧファイルが再生される。
【００９４】
また、管理情報ファイル書込手段３０４が出力するファイルをＨＴＭＬの形式の例で説明したが、単純にＤＶＤ−ＲＡＭディスク１に記録されたテキストデータ３ｂの内、格納された第２のＭＰＥＧストリームに関係したテキストデータをテキスト形式で記録してもよい。但し、この場合には汎用性に若干欠けるが、出力された第２のＭＰＥＧストリームが一目で管理できるという点では同様の利点がある。
【００９５】
このような実施の形態３による情報信号編集装置では、情報信号の第１の情報ファイルの再生開始位置などの管理情報をメモリ３００に第２の管理情報ファイルとして記憶しておくことにより、当該第２の管理情報ファイルの再生開始位置などの情報に基づいて複数の情報ファイルを第２の情報ファイルとしてメモリ３００上に独立して格納でき、また、第２の管理情報ファイルも第２の情報ファイルと同じ場所に関連付けて格納することができるので、各第２の管理情報ファイルに基づいて、第２の情報ファイルまたは第２の情報ファイルの中から選択した所望の情報ファイルの再生動作を管理することができる。
【００９６】
（実施の形態４）
以下に、本発明の実施の形態４にかかる情報信号編集装置について説明する。なお、上記実施の形態３と異なる点は、映像データ区間指定手段４００が存在している点である。上記実施の形態３では、例えば簡易編集などの場合のように、ＤＶＤ−ＲＡＭディスク１の第１の管理情報ファイル３が書換手段２０で書き換えられていることを前提としており、その書き換えられている第１の管理情報ファイル３に基づき、第２のＭＰＥＧストリームがメモリ３００に格納される。換言すると、第２のＭＰＥＧストリームをメモリ３００に格納しようとした場合、ＤＶＤ−ＲＡＭディスク１上の第１の管理情報ファイルを書き換えなくてはならなかった。本実施の形態４では、上記実施の形態３の編集方法以外に、ＤＶＤ−ＲＡＭディスク１上の第１の管理情報ファイルを書き換えることなく、任意の区間が指定された第２のＭＰＥＧストリームをメモリ３００に格納することができる装置について説明する。
【００９７】
図７は、本実施の形態４による情報信号編集装置の構成を示す図である。図において、図５と同一または相当する構成要素については同じ符号を用い、その説明を省略する。
４００は映像データ区間指定手段であり、映像データ区間を指定する。
【００９８】
以上のように構成された情報信号編集装置の動作について図８を用いて説明する。
まず、この映像データ区間指定手段４００では、ＭＰＥＧストリーム２の再生を行っている部分の中から、使用者が映像データ２ａを例えば表示手段（図示せず）により視認して所望の映像位置を指定することにより、ＭＰＥＧストリームの先頭を指定するとともに、映像データ２ａを視認して所望の映像データを指定することにより、該当するＭＰＥＧストリームの終端を指定する（ステップＳ４０１）。
【００９９】
これら２つの動作により先頭と終端との区間が指定されると、所望のＭＰＥＧストリームを決定し、当該ＭＰＥＧストリームを第２のＭＰＥＧストリーム、該第２のＭＰＥＧストリームの管理情報を第２の管理情報ファイルとして作成し（ステップＳ４０２）、１つの形式のファイルでメモリ３００に記録する（ステップＳ４０３）。なお、先頭と終端との区間の指定は１つに限らず、複数であっても同様に指定可能である。
【０１００】
これにより、ＤＶＤ−ＲＡＭディスク１上の第１の管理情報ファイルを書き換えることなく、ＭＰＥＧストリーム２から所望のＭＰＥＧストリームを即座に第２のＭＰＥＧストリームとしてメモリ３００に格納でき、所望のファイルを作成することができる。
【０１０１】
このような実施の形態４による情報信号編集装置では、ＤＶＤ−ＲＡＭディスク１上の情報信号のうち、第１の情報ファイル（ＭＰＥＧストリーム２）を管理する第１の管理情報ファイル３を書き換えることなく、第１の情報ファイルから任意の区間を設定することにより作成された第２の情報ファイルをメモリ３００に格納することにより、ディスクの状態が書き換え不能な状態であった場合でも、第２の情報ファイルからＭＰＥＧファイルを作成することができるという利点がある。
【０１０２】
（実施の形態５）
以下に、本発明の実施の形態５にかかる情報信号編集装置について説明する。
図９は、本実施の形態５による情報信号編集装置の構成を示す図である。図において、＠図５と同一または相当する構成要素については同じ符号を用い、その説明を省略する。
５００はＭＰＥＧ情報抽出手段であり、ＤＶＤ−ＲＡＭディスク１に記録されている第１の管理情報ファイルから、ＭＰＥＧストリーム２に関する情報を抽出する。
【０１０３】
以上のように構成された情報信号編集装置の動作について図１０を用いて説明する。なお、上記実施の形態３の構成との違いは、ＭＰＥＧ情報抽出手段５００を付加した構成であり、他の構成要素は全く上記実施の形態３と同じであるため、このＭＰＥＧ情報抽出手段５００を中心に以下に説明する。
【０１０４】
ＭＰＥＧストリームに関する情報の一つに解像度に関する情報が挙げられる。ビデオレコーディング規格では、１つのＭＰＥＧストリームに対し複数の解像度が存在してもよいため、解像度に関する情報が複数記録されている場合がある。
【０１０５】
一方、所望のＭＰＥＧファイルを第２のＭＰＥＧファイルとしてメモリ３００に格納する際に、単一の解像度で区切りたい場合がある。このときに、読取手段４で出力されたＭＰＥＧストリーム２を管理する第１の管理情報ファイルから所望の解像度に関する情報を逐一調べるのではなく、あらかじめ記録時に第２の管理情報ファイルとして管理した解像度情報を用いて調べるほうが、遥かに効率的である。
【０１０６】
従って、第１の管理情報ファイル３のうち、所望のＭＰＥＧストリームの解像度情報を抽出し、ＭＰＥＧ情報抽出手段５００では解像度の変わり目でＭＰＥＧストリーム書込手段３０２に出力し、ＭＰＥＧストリーム書込手段３０２でＭＰＥＧストリームを区切る（ステップＳ３０６、ステップＳ５０１）。これにより、再生開始位置情報に基づきメモリ３００に格納される第２のＭＰＥＧストリームであっても、解像度が異なれば別々のファイルとして区分することが可能となり、使用者の要望に適合した第２のＭＰＥＧストリーム及び当該ＭＰＥＧストリームを管理する第２の管理情報ファイルを提供できる。ここでは、ＭＰＥＧ情報に従って、解像度が異なるＭＰＥＧストリームを別々のファイルとする例について説明したが、ＭＰＥＧストリーム書込手段３０２に解像度変換の機能を付加することで、解像度が異なる複数のMPEGストリームを同一解像度の一つのファイルとしてまとめることもできる。すなわち、ＭＰＥＧ情報に含まれる解像度情報を抽出し、ＭＰＥＧ情報抽出手段５００では解像度の変わり目でＭＰＥＧストリーム書込手段３０２に出力し、ＭＰＥＧストリーム書込手段３０２で解像度変換を行うことにより解像度の統一がはかられ、一つのファイルとして合成される。例えば、解像度が７０４×４８０画素のストリームＡと解像度が３５２×４８０画素のストリームＢとが混在していた場合、ＭＰＥＧストリーム書込手段３０２では、解像度３５２×４８０画素のストリームＢが例えば補間処理などの解像度変換が施されて解像度７０４×４８０画素のストリームとなり、異なる解像度のストリームＡおよびストリームＢとが解像度７０４×４８０画素の一つのストリームとしてまとめられる。
【０１０７】
なお、ＭＰＥＧ情報抽出手段５００は、ＭＰＥＧストリーム２の著作権保護情報や暗号化情報を取得することもできる。また、ＭＰＥＧ情報抽出手段５００により抽出された著作権情報または暗号化情報に基づいてＭＰＥＧストリーム２の複製作成が禁止されていることを識別して、ＭＰＥＧ情報抽出手段５００からＭＰＥＧストリーム書込手段３０２に禁止情報を伝えることにより、複製作成が禁止されたＭＰＥＧストリーム２をメモリ３００への格納しないようにすることができる。
【０１０８】
このような実施の形態５による情報信号編集装置では、ＤＶＤ−ＲＡＭディスク１のＭＰＥＧストリーム２に関する情報であるＭＰＥＧ情報を抽出して、例えば解像度ごとに区分してメモリ３００に書き込み、使用者が所望の視認しやすいＭＰＥＧファイルの再生を実現するようにしたり、あるいは、複製作成を禁止した情報信号に対してセキュリティーを保証したりするようにすることができ、その結果、使用者の手間を省き、かつ優れた情報管理能力を有する情報信号編集装置を実現可能である。
【０１０９】
なお、上記実施の形態３〜５では、第２の情報ファイル及び第２の管理情報ファイルを格納する記憶部をメモリとして説明したが、本発明に適用できる記憶部は記録された第２のＭＰＥＧストリームのデータが再利用可能であればその種類は何れでも良く、例えばパソコンで専ら使用されているハードディスク、不揮発性のメモリ、記録型メディアの記録機能を備えた記録手段を有している場合には記録型メディア、あるいは情報信号が格納されているメディアが上記実施例のように記録型メディアの場合にはメディアの空き容量さえあれば当該メディアに別ファイルとして格納することも可能である。
【０１１０】
また、上記実施の形態３〜５では、何れも情報信号がＤＶＤ−ＲＡＭディスクに記録されている場合を例に採り説明を行ったが、情報信号はＤＶＤ−ＲＡＭディスクに限るものではなく、例えばＣＤ−ＲＯＭ、ＤＶＤ−ＲＯＭ等のいわゆるＲＯＭ媒体に記録された信号、例えば不揮発性のメモリに記録された信号、例えば有線あるいは無線を介して得られるネットワークあるいは放送等の信号など、信号源は何れであっても適用できる。
【０１１１】
また、上記実施の形態３〜５では、情報ファイルをＭＰＥＧストリームとして説明したが、ＭＰＥＧ圧縮に限定するものでもなく、ＭＰＥＧストリーム以外のフォーマットであっても適応でき、要は管理情報ファイルで管理する情報ファイルであれば本発明に適用できること勿論である。
【０１１２】
（実施の形態６）
以下に、本発明の実施の形態６にかかる情報信号編集装置について説明する。なお、上記実施の形態３と異なる点は、上記実施の形態３の情報信号編集装置の変換手段３０３に代え、合成処理手段６００を備えている点であり、上記実施の形態３による情報信号編集装置では、ディスクに記録されたＭＰＥＧストリームによっては、メモリ３００に格納されたＭＰＥＧファイルの映像信号と音声信号が先頭で一致しないという問題点を有していた。すなわち、ディスク上のＭＰＥＧストリームのうち、先頭でない部分を切り出して別ファイルとしてメモリに格納した場合、その音声信号は、切り出される前の情報を有している場合があるので、映像信号と音声信号との時間軸情報は、先頭から必ずしも一致しておらず、それを再生した場合や再利用した場合にずれが発生するという問題がある。
【０１１３】
これについて、図１５を用いて説明する。図１５は、ＤＶＤ−ＲＡＭディスク１に記録されているＭＰＥＧストリーム２から、上記構成でメモリ３００に格納したＭＰＥＧストリームの構成例を示す図である。
【０１１４】
上記システムでメモリ３００に格納されたＭＰＥＧストリーム、例えば、図１５（ａ）に示すように、先頭から主に映像パケット（Ｖ）、音声パケット（Ａ）が随時挿入された形態であり、これ自身は通常のストリームの構成であるが、このＭＰＥＧストリームから映像信号と音声信号とを分離し、各データが有する時間軸情報に沿って並べ替えると、映像データ及び音声データの各々は図１５（ｂ），と図１５（ｃ）に示すようになる。
【０１１５】
ここで、図１５（ｃ）に示した音声信号には、ハッチングを施した部分であるＰ点まで、切り出される前の映像信号に対応した音声信号が存在する。これは、ＭＰＥＧストリーム２では、その構成単位で必ずしも、同期のとれた映像データ２ａと音声データ２ｂが存在しなくてもよいため、このように任意の位置で区分を設けてメモリ３００に格納されたファイルでは、このような余分な音声が存在する。
【０１１６】
このまま、デコーダでファイルを再生するあるいは、他のＭＰＥＧ機器で再利用する場合に、映像信号に対して、余分な音声データのため、音声のずれたＭＰＥＧストリームになってしまうことがある。
【０１１７】
また、これを回避する方法としては、ＭＰＥＧストリームの映像データ２ａと音声データ２ｂの両方を一旦伸張し、非圧縮の映像と音声信号にし、復調した映像信号と音声信号とを再度ＭＰＥＧ圧縮をかけるという方法もあるが、これは、映像信号の伸張と圧縮に非常に多くの時間が必要であることと、圧縮・伸張のプロセスで画質が劣化するなどの欠点を有していた。
【０１１８】
そこで、このような問題点を解消するために、画質が劣化することなく、音声データを映像データの同期の取れたＭＰＥＧストリームを短時間で作成することのできる情報信号編集装置について図１１を用いて説明する。図において、図５と同一または相当する構成要素については同じ符号を用い、その説明は省略する。
【０１１９】
図１１において、６００は合成処理手段であり、これは図１２に示すような構成をしており、外部（ここではＭＰＥＧストリーム書込手段３０２）からＭＰＥＧストリームを入力するＭＰＥＧストリーム入力端子７１と、入力されたＭＰＥＧストリームから映像データ、及び音声データを分離する分離手段７２と、分離手段７２により分離された音声データをもとの音声信号に伸長する音声デコード７３と、分離手段７２で分離されたデータの各々が有する時間軸情報を取得する時間軸情報取得手段７４と、音声デコード７３にてデコードされた音声データの一部を削除または加算することにより時間合わせを行う時間合わせ手段７５と、時間合わせ手段７５の出力データを圧縮する音声エンコード７６と、分離手段７２にて分離された映像データと音声エンコード７６にて圧縮された音声データとを合成し、ＭＰＥＧストリームを作成する合成手段７７と、ＭＰＥＧストリームを出力するＭＰＥＧストリーム出力端子７８とからなるものである。
【０１２０】
以上のように構成された情報信号編集装置の動作について説明する。ここで、合成処理手段６００の動作について図１２、及び図１３を用いて詳細に説明する。なお、ここでは情報編集装置内に合成処理手段を備えた場合について説明するが、例えば、ＣＤ−ＲＯＭ等に記録されているＭＰＥＧストリームをパソコンで再生する場合にも有効である。
【０１２１】
まず、入力端子７１を介して入力されたＭＰＥＧストリームは、分離手段７２により映像データ及び音声データが分離される（ステップＳ６０１）。
【０１２２】
分離された映像データは圧縮されたまま合成手段７７に入力される。ここでは、ＭＰＥＧ２形式で圧縮されたデータとして説明するが、他の圧縮形式でもよい。
【０１２３】
また、分離されたデータから時間軸情報取得手段７４によって、時間軸情報が取得される（ステップＳ６０２）。ここで取得する時間軸情報は、ＭＰＥＧ圧縮された映像データが有する「ＰＴＳ（Presentation Time Stamp）」と呼ばれる時間軸情報が便利であり、通常この時間に対応する音声データが存在するものであり、この映像データの時間軸情報を取得するとともに、音声データの時間軸情報も取得する。なお、取得する映像データの時間軸情報は、先頭の時間軸だけでもよい。また、上記ＭＰＥＧストリームを、ＧＯＰなどＭＰＥＧを構成する最小単位ごとで区分する場合には、時間軸情報を取得しやすい。このようにして、時間軸情報取得手段７４では、映像データと音声データの差の時間、例えば、図１５（ｃ）に示すような時間軸差Ｐが算出される。
【０１２４】
一方、分離手段７２で分離された音声データは音声デコード手段７３へ入力され、一旦、元の音声データへ復号され、時間合わせ手段７５に入力される（ここでは、音声信号の圧縮方式がＡＣ−３方式で圧縮されているとして説明をする）。そして、時間合わせ手段７５では、時間軸情報取得手段２４にて取得した、入力ＭＰＥＧファイルの映像データと音声データの時間軸差情報が入力される。例えば、図１５（ｃ）に示すように音声データが、対応する映像データより１つ前のＭＰＥＧストリームに対応する音声データを所有していた場合、その差分Ｐ点までの時間軸差が通知され、時間合わせ手段７５では通知された時間軸差に基づいて、デコードされた音声の一部を消去したり、あるいは出力をしないようにすることにより図１５（ｃ）に示すような音声信号となるよう時間合わせを行う（ステップＳ６０３）。
【０１２５】
なお、ここでデコード処理することは、映像信号の単位（ＧＯＰ）を意識せずに音声の処理を行うことができ、上記のような構成で音声の先頭部分だけを削除しさえすれば、管理情報ファイルに基づき再生される音声データはそのままでよいので、音声処理の構成を簡単にできるというメリットがある。
【０１２６】
次に、時間合わせ手段７５の出力データは、音声エンコード手段７６へ入力され、再び圧縮された音声信号となる。ここでの圧縮方式は、元の音声信号と異なる形式であってもよい。例えば、元の音声データの圧縮方式がＡＣ−３であった場合、ＭＰＥＧ方式の音声圧縮を行ってもよい。これにより、より汎用性の高いＭＰＥＧファイルとして変換できるという利点がある。
【０１２７】
音声エンコード手段７６で圧縮された音声データは、すでに不要な部分が削除されているので、その先頭部分は分離された映像データの先頭と同期のとれたデータとなっている。一方、映像データは分離されただけで、なんら変換されていないので、その処理にかかる時間はほとんどなく、映像データをデコードし再エンコードした場合にくらべて、格段に短い処理時間となることは明らかである。
【０１２８】
そして、上記音声エンコード７６から出力された音声データと分離手段７２により分離された映像データとを合成手段７７で再びＭＰＥＧストリームとして合成して出力する（ステップＳ６０４）。これにより、映像信号と音声信号の同期のとれたＭＰＥＧストリームが作成され、出力端７８より出力され、この出力されたＭＰＥＧストリームはファイルとしての形式でメモリ３００に格納され、映像信号と音声信号の同期の取れたＭＰＥＧファイルとして、切り出されることになる。この作業を、各再生情報抽出結果で行えば、ビデオレコーディングの１つＭＰＥＧファイルから複数の区間指定されたＭＰＥＧファイルが切り出すことができる。
【０１２９】
なお、上記合成手段７７では、一般にマルチプレクサなどと呼ばれ、映像データと音声データを所定のルールで組み合わせ、ＭＰＥＧファイルとして合成することができるものであり、合成された信号は、ＭＰＥＧストリーム（図１４（ａ）），映像データ（図１４（ｂ）），音声データ（図１４（ｃ））である。図１５にくらべて、図１４（ｃ）に示した音声データが映像データと時間軸として一致し、余分な音声データを含んでいないのがわかる。
【０１３０】
また、時間合わせ手段７５では、一部データを削除した例で説明したが加算してもよい。具体的には、時間軸の差が、上記説明と逆転した場合には加算すればよい。また、上述の説明で先頭での音声データを削除すると、その分最終的に音声データが不足するので、作成されるべきファイルの終端部分では、削除したデータ分だけ、時間合わせ手段７５で追加してもよい。なお、追加する音声データは、０データ（無音）が好ましく、追加する音声データの量が全体の量に比べ多くなければ大きな問題とならない。
【０１３１】
このような実施の形態６による情報信号編集装置では、ＤＶＤ−ＲＡＭディスク１に記録されている管理情報に基づき再生開始位置などを指定して、該指定された再生開始位置などの情報を元に、先頭から映像データと音声データが同期のとれた複数のＭＰＥＧファイル格納するようにしたので、映像データを無変換で使用することができ、その結果、装置全体の処理時間が少なくて済むという効果がある。さらに、処理時間が少ないために、合成処理を行いながら、ファイルの格納が同時に行えるというメリットを有する。また、音声エンコード手段７６を元の音声の圧縮方式と異なる圧縮方式とすれば、音声信号の形式変換となり、汎用性や音質などを向上できるというメリットを有する。
【０１３２】
なお、ここでは実施の形態３の変換手段３０３に代え、合成処理手段６００を備えた場合について説明したが、実施の形態４及び、実施の形態５による情報信号編集装置に合成処理手段６００を備えた場合も、同様の効果が得られる。
【０１３３】
なお、上記各実施の形態１〜６において、情報信号編集装置をハードウエアにより実現したものを示したが、これらの装置はソフトウエアにより実現してもよい。
【産業上の利用可能性】
【０１３４】
本発明にかかる情報信号編集装置、情報信号編集方法、及び情報信号編集プログラムは、ＤＶＤ−ＲＡＭ等に記録されているデータに対し、該ＤＶＤ−ＲＡＭが書き換え可能な状態であるときだけでなく、書き換え不能な状態であるときも、簡単に編集を行うことができ、情報信号の編集を行うシステムにおける編集処理を簡単に実現するものとして極めて有用である。
【図面の簡単な説明】
【０１３５】
【図１】本発明の実施の形態１による情報信号編集装置の構成を示す図である。
【図２】本発明の実施の形態１による情報信号編集方法を示すフローチャート図である。
【図３】本発明の実施の形態２による情報信号編集装置の構成を示す図である。
【図４】本発明の実施の形態２による情報信号編集方法を示すフローチャート図である。
【図５】本発明の実施の形態３による情報信号編集装置の構成を示す図である。
【図６】本発明の実施の形態３による情報信号編集方法を示すフローチャート図である。
【図７】本発明の実施の形態４による情報信号編集装置の構成を示す図である。
【図８】本発明の実施の形態４による情報信号編集方法を示すフローチャート図である。
【図９】本発明の実施の形態５による情報信号編集装置の構成を示す図である。
【図１０】本発明の実施の形態５による情報信号編集方法を示すフローチャート図である。
【図１１】本発明の実施の形態６による，合成処理手段を備えた情報信号編集装置の構成を示す図である。
【図１２】合成処理手段の構成を示す図である。
【図１３】合成処理方法を示すフローチャート図である。
【図１４】合成処理手段を備えた情報信号編集装置の出力信号を示す図であり、（ａ）はＭＰＥＧストリームの構成、（ｂ）は映像データの構成、（ｃ）は音声データの構成を示すものである。
【図１５】情報信号編集装置の出力信号を示す図であり、（ａ）はＭＰＥＧストリームの構成、（ｂ）は映像データの構成、（ｃ）は音声データの構成を示すものである。
【図１６】従来のビデオ記録再生装置の構成を示す図である。
【符号の説明】
【０１３６】
１  DVD−RAMディスク
２  MPEGストリーム
２ａ  映像データ
２ｂ  音声データ
３  第１の管理情報ファイル
３ａ  再生開始位置情報
３ｂ  テキストデータ
４  読取手段
５  MPEGデコーダ
６  読取制御手段
７  管理情報解析手段
８  映像信号出力端子
９  音声信号出力端子
２０  書換手段
２１  MPEGエンコーダ
２２  映像信号入力端子
２３  音声信号入力端子
２４  書換制御手段
２５  管理情報書換指定手段
２６  再生区間指定手段
２７  再生開始位置指定手段
７１  ＭＰＥＧストリーム入力端子
７２  分離手段
７３  音声デコード
７４  時間軸情報取得手段
７５  時間合わせ手段
７６  音声エンコード
７７  合成手段
７８  ＭＰＥＧストリーム出力端子
１００  管理情報設定手段
１０１  管理情報記録手段
１０２  メモリ
１０３  書換手段
２００  複製範囲指定手段
２０１  複製出力手段
２０２  出力端子
３００  メモリ
３０１  再生情報抽出手段
３０２  MPEGストリーム書換手段
３０３  変換手段
３０４  管理情報ファイル書込手段
４００  映像データ区間指定手段
５００  ＭＰＥＧ情報抽出手段
６００  合成処理手段
【図１】
2006236567.tif 000003
【図２】
2006236567.tif 000004
【図３】
2006236567.tif 000005
【図４】
2006236567.tif 000006
【図５】
2006236567.tif 000007
【図６】
2006236567.tif 000008
【図７】
2006236567.tif 000009
【図８】
2006236567.tif 000010
【図９】
2006236567.tif 000011
【図１０】
2006236567.tif 000012
【図１１】
2006236567.tif 000013
【図１２】
2006236567.tif 000014
【図１３】
2006236567.tif 000015
【図１４】
2006236567.tif 000016
【図１５】
2006236567.tif 000017
【図１６】
2006236567.tif 000018